(57)【要約】      （修正有）【課題】医療関係情報を迅速に入手することができる医療関係情報提供システムを提供する。【解決手段】診療，調剤等の医療現場に従事する医師，薬剤師からなる質問者Ｍ１に設置され診療，調剤等に係る質問、回答を電子メールで送信、受信することのできる質問者コンピュータ２と、診療，調剤等の医療現場に従事する医師，薬剤師や研究機関等で診療，調剤等を研究する者等であって管理センタＳに登録され質問に対する回答を作成する回答者Ｍ２に設置され質問の受信、回答を電子メールで行う回答者コンピュータ３と、質問者コンピュータ２，回答者コンピュータ３とコンピュータネットワーク１で接続されて管理センタＳに設置された管理サーバ４とを備える。管理サーバ４は、質問者Ｍ１の質問を受信し回答者Ｍ２に転送し回答者Ｍ２からの回答を質問者Ｍ１に転送し、質問を回答者Ｍ２に転送する際に質問者Ｍ１を秘匿化する加工プログラムを記憶している。【選択図】図１
2011221914.tif 000002
【特許請求の範囲】
【請求項１】
診療，調剤等の医療現場に従事する医師，歯科医師，獣医師，薬剤師からなる質問者に設置され診療，調剤等に係る質問を電子メールとして送信し質問に対する回答を電子メールとして受信することのできる質問者コンピュータと、診療，調剤等の医療現場に従事する医師，歯科医師，獣医師，薬剤師や研究機関等で診療，調剤等を研究する者等であって管理センタに登録され質問に対する回答を作成する回答者に設置され電子メールとして質問を受信し質問に対する回答を電子メールとして送信することのできる回答者コンピュータと、質問者コンピュータ，回答者コンピュータとコンピュータネットワークで接続されて管理センタに設置された管理サーバとを備え、管理サーバは質問者の質問を受信して回答者に転送し回答者からの回答を質問者に転送する機能を有し質問を回答者に転送する際に質問者を秘匿化する加工プログラムが記憶されていることを特徴とする医療関係情報提供システム。
【請求項２】
請求項１の医療関係情報提供システムにおいて、管理サーバの加工プログラムは回答の回答者を秘匿化することができるものであることを特徴とする医療関係情報提供システム。
【請求項３】
請求項２の医療関係情報提供システムにおいて、管理サーバは加工プログラムで加工された質問，回答を格納して閲覧に供する閲覧用データベースが接続されていることを特徴とする医療関係情報提供システム。
【発明の詳細な説明】
【技術分野】
【０００１】
本発明は、医療関係者に医療関係情報を提供するための医療関係情報提供システムに係る技術分野に属する。なお、医療の用語については、人の診療等に係ること以外を含む広義の意味で使用される。
【背景技術】
【０００２】
現在、医師，歯科医師，獣医師，薬剤師のように診療，調剤等の医療現場に従事する者や研究機関等で診療，調剤等を研究する者等からなる医療関係者は、学会誌，インターネット等の各種の情報媒体を通じて、診療，調剤等に関する最新の医療関係情報を入手している。然しながら、診療，調剤等の医療現場に従事する者にとっては、患者の症状に対応した治療方針等の質問についての回答からなる個別具体的な医療関係情報が必要になることがある。ところが、学閥等による閉鎖的な医療業の状況から、質問，回答が限定された範囲（例えば、系列病院の間）でのみしか有効に機能しないのが実状である。このため、個別具体的な医療関係情報を容易に入手することができるように、質問，回答を広範囲に有効に機能させることのできるシステムの構築が要望されている。
【０００３】
従来、個別具体的な医療関係情報を容易に入手することができるように、質問，回答を広範囲に有効に機能させることを指向した技術としては、例えば、特許文献１に記載のものが知られている。
【０００４】
特許文献１には、患者の主治医が患者の症状に対応した治療方針等の質問をインターネット等を利用して管理センタ（集配センタ）を介して専門医に行い回答を得ることができるようにした技術が記載されている。
【先行技術文献】
【特許文献】
【０００５】
【特許文献１】特開２００２−５６０８８号公報
【発明の概要】
【発明が解決しようとする課題】
【０００６】
特許文献１に係る技術では、質問する質問者が回答する回答者に知られてしまうため、学閥等による閉鎖的な医療業の状況から実用性が低いという問題点がある。また、質問者が管理センタに積極的にアクセスしなければ医療関係情報が入手されないため、医療関係情報の入手に迅速性が得られないという問題点がある。
【０００７】
本発明は、このような問題点を考慮してなされたもので、学閥等による閉鎖的な医療業の状況でも実用性が高くしかも質問，回答からなる医療関係情報を迅速に入手することのできる医療関係情報提供システムを提供することを課題とする。
【課題を解決するための手段】
【０００８】
前述の課題を解決するため、本発明に係る医療関係情報提供システムは、特許請求の範囲の各請求項に記載の手段を採用する。
【０００９】
即ち、請求項１では、診療，調剤等の医療現場に従事する医師，歯科医師，獣医師，薬剤師からなる質問者に設置され診療，調剤等に係る質問を電子メールとして送信し質問に対する回答を電子メールとして受信することのできる質問者コンピュータと、診療，調剤等の医療現場に従事する医師，歯科医師，獣医師，薬剤師や研究機関等で診療，調剤等を研究する者等であって管理センタに登録され質問に対する回答を作成する回答者に設置され電子メールとして質問を受信し質問に対する回答を電子メールとして送信することのできる回答者コンピュータと、質問者コンピュータ，回答者コンピュータとコンピュータネットワークで接続されて管理センタに設置された管理サーバとを備え、管理サーバは質問者の質問を受信して回答者に転送し回答者からの回答を質問者に転送する機能を有し質問を回答者に転送する際に質問者を秘匿化する加工プログラムが記憶されていることを特徴とする。
【００１０】
この手段では、質問，回答が電子メールとして送受信される。また、管理サーバに記憶されている加工プログラムによって電子メールで回答者に転送される質問から質問者が匿名化される。
【００１１】
また、請求項２では、請求項１の医療関係情報提供システムにおいて、管理サーバの加工プログラムは回答の回答者を秘匿化することができるものであることを特徴とする。
【００１２】
この手段では、管理サーバに記憶されている加工プログラムによって電子メールで送信された回答から回答者が匿名化される。
【００１３】
また、請求項３では、請求項２の医療関係情報提供システムにおいて、管理サーバは加工プログラムで加工された質問，回答を格納して閲覧に供する閲覧用データベースが接続されていることを特徴とする。
【００１４】
この手段では、質問者が秘匿化された質問と回答者が秘匿化された回答とが閲覧用データベースに格納されて閲覧に供される。
【発明の効果】
【００１５】
本発明に係る医療関係情報提供システムは、質問，回答が電子メールとして送受信されるため、管理センタに積極的にアクセスしなくても、質問，回答からなる医療関係情報を迅速に入手することができる効果がある。また、管理サーバに記憶されている加工プログラムによって電子メールで回答者に転送される質問から質問者が匿名化され、質問者が種々のしがらみに拘泥することなく自由に質問して回答を得ることができるため、学閥等による閉鎖的な医療業の状況でも実用性が高くなる効果がある。
【００１６】
さらに、請求項２として、管理サーバに記憶されている加工プログラムによって電子メールで送信された回答から回答者が匿名化されるため、回答からなる医療関係情報を多用途にも利用可能になる。
【００１７】
さらに、請求項３として、質問者が秘匿化された質問と回答者が秘匿化された回答とが閲覧用データベースに格納されて閲覧に供されるため、汎用されている情報公開手段であるＱアンドＡとして医療関係情報が閲覧が可能になる効果がある。
【図面の簡単な説明】
【００１８】
【図１】本発明に係る医療関係情報提供システムを実施するための形態のハードウエア構成図である。
【図２】図１における質問，回答の送受信の簡略図であり、（Ａ）〜（Ｄ）に送受信の段階が示されている。
【図３】図２の質問，回答の送受信の詳細なフローチャートである。
【図４】質問者から管理センタへのアクセス例を示す管理センタのホームページの画面である。
【発明を実施するための形態】
【００１９】
以下、本発明に係る医療関係情報提供システムを実施するための形態を図面に基づいて説明する。
【００２０】
この形態では、インターネットからなるコンピュータネットワーク１を利用するものを示してある。
【００２１】
この形態は、図１に示すように、コンピュータネットワーク１に質問者コンピュータ２，回答者コンピュータ３，管理サーバ４が接続されている。
【００２２】
質問者コンピュータ２は、診療，調剤等の医療現場に従事する医師，歯科医師，獣医師，薬剤師からなる質問者Ｍ１に設置されるもので、少なくとも電子メールのソフトウエアがインストールされているパーソナルコンピュータで充分であって、接続端末５を介してインターネットからなるコンピュータネットワーク１に接続される。
【００２３】
回答者コンピュータ３は、診療，調剤等の医療現場に従事する医師，歯科医師，獣医師，薬剤師や研究機関等で診療，調剤等を研究する者等からなる回答者Ｍ２に設置されるもので、少なくとも電子メールのソフトウエアがインストールされているパーソナルコンピュータで充分であって、接続端末６を介してインターネットからなるコンピュータネットワーク１に接続される。
【００２４】
管理サーバ４は、医療関係情報の提供を管理運営する管理センタＳに設置されるもので、特に電子メールを高速に処理することのできる機能を有するコンピュータからなるものであって、接続端末７を介してインターネットからなるコンピュータネットワーク１に接続される。
【００２５】
質問者Ｍ１は、予め管理センタＳに「会員」または「非会員」として登録して、管理センタＳとの間にＩＤとパスワードとを設定しておくことにより、患者の症状に対応した治療方針等の質問ａを管理センタＳに送信することが可能になる。「会員」，「非会員」については、例えば、使用頻度による課金方法の相違で差別化される。
【００２６】
回答者Ｍ２は、予め管理センタＳに質問者Ｍ１の質問ａに対する回答ｂを作成する能力を評価されて登録されている。
【００２７】
管理センタＳは、質問者Ｍ１を登録しておくハードディスク等からなる質問者データベース（ＤＢ）８と、回答者Ｍ２を登録しておくハードディスク等からなる回答者データベース（ＤＢ）９と、後述のように加工された質問ａ，回答ｂを格納して閲覧に供する閲覧用データベース（ＤＢ）１０とを管理サーバ４に接続させている。質問者データベース８では、必要に応じて「会員」，「非会員」がパーティションで区分けされる。回答者データベース９では、例えば、内科，外科等の科目ごとに回答者Ｍ２に順位付けをするとともに、名前や略歴等を公表しても差支えない回答者Ｍ２についてはコード番号を付与しておき、必要なパーティションに区分けされる。閲覧用データベース１０は、後述のように加工された質問ａ，回答ｂが汎用されている情報公開手段であるＱアンドＡの形式で閲覧できるように格納される。
【００２８】
さらに、管理センタＳは、管理サーバ４に転送，返信機能等を含む電子メールのソフトウエアを記憶させるとともに、質問ａの質問者Ｍ１と回答ｂの回答者Ｍ２を秘匿化する加工プログラムを記憶させている。また、管理センタＳは、管理サーバ４によってインターネットからなるコンピュータネットワーク１にホームページ（ＨＰ）を開設して、このホームページから質問者Ｍ１が質問ａを送信できるように設定している。
【００２９】
この形態によると、図３に示すような作業，操作が実行されることになる。
【００３０】
即ち、質問者Ｍ１は、図４に示すように、質問者コンピュータ２から管理センタＳのホームページにアクセスして、質問コーナ１１をクリックしＩＤ，パスワードのセキュリティチェックを受けた後に質問ａを作成する質問作成画面１２に進む作業を行うことになる。質問作成画面１２では、質問ａの作成を補助するフォームが表示される。この質問作成画面１２のフォームには、例えば、診療の科目を選択チェックする欄１２ａ、回答者指定（名前や略歴等を公表しても差支えない回答者Ｍ２について）のコード番号の入力の欄１２ｂ、症状と経由を記入する欄１２ｃ、今回の内容を記入する欄１２ｄ、レントゲン写真等の添付ファイルの有無を選択チェックする欄１２ｅ、添付ファイルを添付する欄１２ｆ、質問ａの送信を実行する欄１２ｇが設けられている。
【００３１】
従って、質問者Ｍ１は、図２（Ａ）に示すように、管理センタＳのホームページの質問作成画面１２で簡単に適式の質問ａを作成して電子メールとして送信することができる。質問者Ｍ１の質問ａの送信アドレスは、管理センタＳの管理サーバ４に設定されている。
【００３２】
質問者Ｍ１の質問ａを受信した管理センタＳの管理サーバ４は、この質問ａに受付番号をつけるとともに、質問者Ｍ１に係る必要事項（質問ａの送信日時等）を質問者データベース８に格納する。そして、加工プログラムによって質問者Ｍ１を秘匿化してから、質問ａを閲覧用データベース１０に格納する。また、図２（Ｂ）に示すように、回答者Ｍ２が指定されなかった場合には回答者データベース９の科目ごとの順位から回答者Ｍ２を選択し、回答者Ｍ２がコード番号で指定された場合（複数指定も可能）には回答者データベース９のその回答者Ｍ２を選択して、加工された質問ａを回答者Ｍ２の回答者コンピュータ３に電子メールとして転送機能により送信する。
【００３３】
回答者コンピュータ３に送信された質問ａをみた回答者Ｍ２は、質問ａに対する回答ｂを作成する。そして、図２（Ｃ）に示すように、作成した回答ｂを質問ａの受付番号をつけて回答者コンピュータ３から管理センタＳの管理サーバ４に電子メールとして送信する。
【００３４】
従って、回答者Ｍ２に質問者Ｍ１が知られることがない。このため、質問者Ｍ１が種々のしがらみに拘泥することなく自由に質問ａをして回答ｂを得ることができるため、学閥等による閉鎖的な医療業の状況でも実用性が高くなる。
【００３５】
回答者Ｍ２の回答ｂを受信した管理センタＳの管理サーバ４は、図２（Ｄ）に示すように、受付番号から質問者データベース８により質問者Ｍ１を特定して、質問者Ｍ１の質問者コンピュータ２に回答ｂを電子メールとして転送機能により送信する。
【００３６】
この結果、質問者Ｍ１は、質問ａに対する回答ｂを入手することができる。従って、例えば、患者の症状に対応した治療方針等の質問ａについての回答ｂからなる個別具体的な医療関係情報が入手できることになる。そして、質問ａ，回答ｂが管理センタＳの管理サーバ４によって振分けられ電子メールとして送受信されるため、管理センタＳに積極的にアクセスしなくても、質問ａ，回答ｂからなる医療関係情報を迅速に入手することができることになる。
【００３７】
また、回答者Ｍ２の回答ｂを受信した管理センタＳの管理サーバ４は、加工プログラムによって回答者Ｍ２を秘匿化してから、回答ｂを閲覧用データベース１０に格納する。
【００３８】
この結果、質問者Ｍ１が秘匿化された質問ａと回答者Ｍ２が秘匿化された回答ｂとが閲覧用データベース１０に格納されて閲覧に供されることになる。従って、汎用されている情報公開手段であるＱアンドＡとして医療関係情報が閲覧が可能になる。
【００３９】
以上、図示した形態の外に、管理センタＳのホームページの質問作成画面１２のフォームを内容とするアプリケーションソフトウエアを作成して、このアプリケーションソフトウエアを質問者Ｍ１の質問者コンピュータ２にダウンロードして、質問ａを作成して送信するようにすることも可能である。
【００４０】
さらに、回答者Ｍ２の回答ｂについてもフォーム化しておくことも可能である。
【産業上の利用可能性】
【００４１】
本発明に係る医療関係情報提供システムは、各種の医療関係情報を提供することが可能である。
【符号の説明】
【００４２】
１            コンピュータネットワーク
２            質問者コンピュータ
３            回答者コンピュータ
４            管理サーバ
Ｍ１          質問者
Ｍ２          回答者
Ｓ            管理センタ
ａ            質問
ｂ            回答
【図１】
2011221914.tif 000003
【図２】
2011221914.tif 000004
【図３】
2011221914.tif 000005
【図４】
2011221914.tif 000006